(57)【要約】【課題】  機器構成や制御配線の変更を要しないで、無線ＬＡＮ機器の高出力化や別周波数対応を可能にする無線ＬＡＮ器変換回路を提供する。【解決手段】  キャリア検出回路３１は、無線ＬＡＮ機器１０からの高周波データ２５の出力を監視し、−１ｄＢｍ以上の高周波データの出力があると、制御信号３２によって、切替器３３、４０を制御して送信回路３７を選択し、双方向アンテナ４２から無線データを出力する。キャリア検出回路３１は、高周波データ２５の出力レベルが−１ｄＢｍ未満になると、無線ＬＡＮ機器１０からのデータ出力が終了したものと判断し、制御信号３２を切り替え、切替器３３，４０を制御して受信回路３６を選択する。これによって、双方向アンテナ４２から受信する無線データを受信する。【選択図】図１
2006287460.tif 000002
【特許請求の範囲】
【請求項１】
無線ＬＡＮ機器が送受信する高周波データを変換する無線ＬＡＮデータ変換回路において、
前記無線ＬＡＮ機器の入出力信号ラインに接続され、該入出力信号ラインの信号電力を計測し、該計測した信号電力が所定値以上又は所定値未満であるかに応じて、送信モード信号又は受信モード信号を出力するキャリア検出回路と、
前記送信モード信号に応答して、前記無線ＬＡＮ機器からの送信データを増幅し、アンテナを介して無線データを出力する送信回路と、
前記受信モード信号に応答して、前記アンテナから受信された無線データを、所定の電力レベルに変換し、前記入出力信号ラインを介して無線ＬＡＮ機器に出力する受信回路と、
を備えることを特徴とする無線ＬＡＮデータ変換回路。
【請求項２】
前記送信回路が、前記無線ＬＡＮ機器の信号電力を増幅する機能を有する、請求項１に記載の無線ＬＡＮデータ変換回路。
【請求項３】
前記送信回路及び受信回路の少なくとも一方が周波数変換回路である、請求項１又は２に記載の無線ＬＡＮデータ変換回路。
【請求項４】
前記無線ＬＡＮ機器が無線ＬＡＮカードである、請求項１〜３の何れか一に記載の無線ＬＡＮデータ変換回路。
【発明の詳細な説明】
【技術分野】
【０００１】
本発明は、無線ＬＡＮデータ変換回路に関し、更に詳しくは、無線ＬＡＮ機器に付属する変換回路として好適な無線ＬＡＮデータ変換回路に関する。
【背景技術】
【０００２】
無線ＬＡＮは、従来の有線ＬＡＮに比して、機器の配置及びその変更などの際に制約が少ないという利点を有し、広く利用されるようになってきた。図３に無線ＬＡＮカードとして構成される、一般的な無線ＬＡＮ機器の回路構成を示す。無線ＬＡＮ機器１０Ａは、図示しないデータ処理回路と、送受信制御回路１６と、送信回路２１と、受信回路２０と、切替器２４と、双方向アンテナ２６とを有する。送受信制御回路１６は、所定のデータ処理を行うデータ処理回路との間でデータ１４、１５を受け渡す制御を行う。送信回路２１は、データ処理回路から送受信制御回路１６を介して送信データ１８を受け取り、切替器２４を介して高周波データ２５を出力し、双方向アンテナ２６を介して無線データとして送信する。受信回路２０は、双方向アンテナ２６が受信した無線データを、切替器２４を介して受信し、その出力データ１７を、送受信制御回路１６を介してデータ処理回路に受信データ１４として引き渡す。
【０００３】
無線ＬＡＮ機器１０Ａには、使用周波数や、伝送可能距離などについて、種々の規格や仕様が存在している。このため、新たに設置した無線ＬＡＮ機器の使用周波数や、送受信電力などが、既存の無線ＬＡＮ機器の使用周波数や送受信電力などと整合しないことがある。このような場合には、従来は、一方の無線ＬＡＮ機器の送信回路２１及び受信回路２０を取り替えることで対応していた。無線ＬＡＮ機器１０Ａの送受信回路２０、２１を取り替える従来の方法は、回路構成が容易に変更できない無線ＬＡＮ機器１０Ａの場合には、採用が困難であった。また、回路構成の変更が可能であるとしても、各種対応機器ごとに無線ＬＡＮ機器１０Ａの送信受信回路２０、２１の変更が発生すると、専門の技術者の作業を必要とし、変更作業が煩雑であるという問題があった。
【０００４】
特許文献１には、無線ＬＡＮ機器と双方向アンテナとをケーブルを介して接続し、無線ＬＡＮ機器１０Ａからのデータ送信時には、そのまま送信データをアンテナから出力し、データ受信時には、ケーブルの損失を高周波増幅器で補償する技術が記載されている。
【０００５】
【特許文献１】特開２００２−３２５０５０号公報
【発明の開示】
【発明が解決しようとする課題】
【０００６】
上記特許文献１に記載の技術では、受信データを高周波増幅器で増幅して、ケーブルの損失を補償する旨が示されているが、送信時のデータはそのままアンテナから出力している。このため、他の無線ＬＡＮ機器との間で相違する送信電力や使用周波数などには、対応することが出来なかった。
【０００７】
本発明は、上記に鑑み、無線ＬＡＮ機器の内部機器、制御配線等の変更や追加を必要としないため、専門の技術者による作業を要しないで、無線ＬＡＮ機器の使用周波数や送信電力などを容易に変更可能な無線ＬＡＮデータ変換回路を提供することを目的とする。
【課題を解決するための手段】
【０００８】
上記目的を達成するために、本発明の無線ＬＡＮデータ変換回路は、無線ＬＡＮ機器が送受信する高周波データを変換する無線ＬＡＮデータ変換回路において、
前記無線ＬＡＮ機器の入出力信号ラインに接続され、該入出力信号ラインの信号電力を計測し、該計測した信号電力が所定値以上又は所定値未満であるかに応じて、送信モード信号又は受信モード信号を出力するキャリア検出回路と、
前記送信モード信号に応答して、前記無線ＬＡＮ機器からの送信データを増幅し、アンテナを介して無線データを出力する送信回路と、
前記受信モード信号に応答して、前記アンテナから受信された無線データを、所定の電力レベルに変換し、前記入出力信号ラインを介して無線ＬＡＮ機器に出力する受信回路と、を備えることを特徴とする。
【発明の効果】
【０００９】
本発明の無線ＬＡＮデータ変換回路によると、無線ＬＡＮ機器から送信データがあるか否かによって選択される送信回路及び受信回路を備える構成により、専門の技術者による作業を必要とせずに、送信電力や使用周波数が変更可能である。このため、無線ＬＡＮ機器の送受信回路の共通化が可能となる。
【００１０】
本発明の好ましい態様では、前記送信回路が、前記無線ＬＡＮ機器の信号電力を増幅する機能を有する。このような構成を採用することにより、例えば無線ＬＡＮカードの出力を高出力化できる。
【００１１】
また、前記送信回路及び受信回路の少なくとも一方が周波数変換回路であることも本発明の好ましい態様である。使用周波数の相違により、従来は使用ができなかった無線ＬＡＮ機器が使用可能になる。
【００１２】
本発明における信号電力変換対象の無線ＬＡＮ機器は、例えば無線ＬＡＮカードとして構成できる。無線ＬＡＮカードの標準の送信電力は０ｄＢｍ、受信電力は−３ｄＢｍであり、このような標準の無線ＬＡＮカードの送信電力を高出力化し、或いは、使用周波数を所望により変更することで、無線ＬＡＮカードの適用対象となる無線ＬＡＮシステムの範囲が拡がる。
【発明を実施するための最良の形態】
【００１３】
以下、図面を参照し本発明の実施形態について説明する。図１は、本発明の一実施形態に係る無線ＬＡＮ機器データ変換回路３０を、付属対象となる無線ＬＡＮ機器１０と共に示している。無線ＬＡＮ機器１０は、無線ＬＡＮカードとして構成され、双方向アンテナ２６を接続していないことを除いて、図３を参照して説明した無線ＬＡＮ機器１０Ａと同様な構成を有する。詳しくは、無線ＬＡＮ機器１０は、図示しないデータ処理回路と、送受信制御回路１６と、送信回路２１と、受信回路２０と、切替器２４とを有する。送受信制御回路１６は、所定のデータ処理を行うデータ処理回路との間でデータを受け渡す制御を行う。送信回路２１は、データ処理回路から送受信制御回路１６を介して送信データ１８を受け取り、切替器２４を介して高周波信号２５として送信する。受信回路２０は、入力する高周波信号２５を、切替器２４を介して受信し、受信したデータ２２を、送受信制御回路１６を介してデータ処理回路に、受信データ１４として引き渡す。無線ＬＡＮカードは、一般に、送信電力が０ｄＢｍの無線データを送信し、受信電力が−３ｄＢｍ以下の無線データを受信する。
【００１４】
無線ＬＡＮデータ変換回路３０は、キャリア検出回路３１と、第１切替器３３と、送信回路３７と、受信回路３６と、第２切替器４０とを備える。キャリア検出回路３１は、無線ＬＡＮ機器１０から出力される高周波信号２５の電力レベルを監視し、電力レベルが−１ｄＢｍ以上の高周波信号２５を検出すると、無線ＬＡＮ機器１０から送信データの発生があったものと判定する。キャリア検出器３１は、無線ＬＡＮ機器１０からの送信データを検出すると、送信モードの制御信号３２を出力し、第１切替器３３及び第２切替器４０の信号経路を送信回路３７側に切り替える。送信回路３７は、無線ＬＡＮ機器１０から受信した高周波信号２５を、無線ＬＡＮデータ変換回路３０の双方向アンテナ４２を介して、例えば２０ｄＢｍ以上の無線信号として送信する。
【００１５】
キャリア検出回路３１は、更に高周波信号２５の電力レベルを判定しつづけ、高周波信号２５の電力レベルが−１ｄＢｍ以下になったときには、これによって無線ＬＡＮ機器１０からの送信が終了したことを検出する。その検出時点で、制御信号３２を受信モードに切り替え、第１切替器３３及び第２切替器４０の信号経路を受信回路３６側に切り替える。これによって、双方向アンテナ４２から無線信号を受信できる状態にする。外部から受信する電力は、受信回路３６によって、−３ｄＢｍ以下の電力の信号に変換され、無線ＬＡＮ機器１０に送られる。
【００１６】
上記構成において、送信回路３７は、例えば信号増幅や周波数変換の機能を持ち、受信回路３６は、例えば低雑音増幅器や周波数変換の機能をもつ。なお、受信回路３６が、切替器３３を介して送出する高周波信号２５は、無線ＬＡＮ機器１０が一般的に受信する−３ｄＢｍ以下の電力レベルとしている。上記実施形態では、無線ＬＡＮ機器１０からの高周波送受信信号２５の電力レベルが−１ｄＢｍを超えるか否かを判断することで、送信モードか受信モードかを決定し、送信回路３７と受信回路３６との間で信号経路を切り替える。このため、無線ＬＡＮカードのために好適なデータ変換が得られる。
【００１７】
無線ＬＡＮデータ変換回路３０の送信回路３７を例えばパワーアンプとすることで、無線ＬＡＮ機器１０を、その制御配線などの構成を変更することなく、高出力対応機器として使用できる。パワーアンプは、例えば２０ｄＢｍ以上の電力の無線データを出力可能とする。受信回路３６は、その出力を−３ｄＢｍ以下の信号レベルとして、無線ＬＡＮ機器１０に入力する。
【００１８】
また、無線ＬＡＮデータ変換回路３０の送信回路３７及び受信回路３６の少なくとも一方を周波数変換器とすることができ、無線ＬＡＮ機器１０を別周波数対応機器として使用できる。周波数変換器の出力電力も同様に２０ｄＢｍ以上とする。無線ＬＡＮ機器の双方向アンテナはそのまま使う場合には、無線ＬＡＮ機器１０の双方向アンテナから直接に出力される−３ｄＢｍ以下の電力の無線信号と、無線ＬＡＮデータ変換回路３０から出力される２０ｄＢｍ以上の無線信号との間で、信号干渉が避けられる。なお、このように、無線ＬＡＮ機器の双方向アンテナは、取り付けたままでもよい。
【００１９】
図２は、上記実施形態の無線ＬＡＮデータ変換回路３０の処理を示すフローチャートである。同図において、無線ＬＡＮデータ変換回路３０は、その動作開始時には受信モードとして、受信回路３６を選択している（ステップＳ１）。この選択は、キャリア検出回路３１から出力される制御信号３２によって、第１切替器３３及び第２切替器４０が、受信回路３６を有効とする経路を選択することによって可能となる。無線ＬＡＮデータ変換回路３０のキャリア検出回路３１は、高周波信号２５の電力レベルを検出して、無線ＬＡＮ機器１０からの送信信号の有無を判断する（ステップＳ２）。ステップＳ２で、送信信号有りと判断すると、キャリア検出回路３１は、送信モード信号を出力し、受信回路３６の選択から送信回路３７の選択に切り換える（ステップＳ３）。この切替えは、キャリア検出回路３１から出される制御信号３２によって、第１切替器３３及び第２切替器４０が、送信回路３７を有効とする信号経路を選択することによって行われる。ステップＳ２で、送信信号を検出しないと、ステップＳ１に戻り、受信回路３６の選択を継続する。
【００２０】
キャリア検出回路３１は、高周波信号２５の電力レベルを検出し続けて、無線ＬＡＮ機器１０からの送信信号の有無の判断を継続する。送信信号がなくなったと判断すると（ステップＳ４）、ステップＳ１に戻り、無線ＬＡＮデータ変換回路３０は、再度受信回路３６の選択に変更する。この回路動作によって、無線ＬＡＮ機器１０からの送受信信号の有無によって、送信回路３７と受信回路３６の切替えを行う。このため、無線ＬＡＮ機器１０の構成を、双方向アンテナ２６の配線のみを除いて変更することなく、高出力対応機器や別周波数対応機器に変換することが可能となる。
【００２１】
上記実施形態では、一般的な回路構成の無線ＬＡＮ機器の制御配線や構成機器等を変更することなく、無線ＬＡＮ機器の高出力対応機や別周波数対応機を新たに構成することができる。また、高出力対応機や別周波数対応機など、各種対応機ごとに無線ＬＡＮ機器の送信受信回路の変更を行う必要がないため、無線ＬＡＮ機器の送信受信回路を共通化できる。
【００２２】
以上、本発明をその好適な実施態様に基づいて説明したが、本発明の無線ＬＡＮ機器変換回路は、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【産業上の利用可能性】
【００２３】
本発明の無線ＬＡＮ機器変換回路は、無線ＬＡＮ機器の高出力化や別周波数対応回路への変更のために使用できる。
【図面の簡単な説明】
【００２４】
【図１】本発明の一実施形態に係る無線ＬＡＮデータ変換回路を無線ＬＡＮ機器と共に示すブロック図。
【図２】図１の無線ＬＡＮデータ変換回路の処理を示すフローチャート。
【図３】従来の無線ＬＡＮ機器のブロック図。
【符号の説明】
【００２５】
１０、１０Ａ：無線ＬＡＮ機器
１６：送受信制御回路
２０：受信回路
２１：送信回路
２４：切替器
１４、１５、１７、１８、２２、２３、２５：送受信データ
１９：切替信号
２６：双方向アンテナ
３０：無線ＬＡＮデータ変換回路
３１：キャリア検出回路
３２：制御信号
３３：第１切替器
３６：受信回路
３７：送信回路
４０：第２切替器
４２：双方向アンテナ
３４、３５、３８、３９、４１：送受信データ
【図１】
2006287460.tif 000003
【図２】
2006287460.tif 000004
【図３】
2006287460.tif 000005